(57)【特許請求の範囲】
【請求項１】
コントロールチャネルにてデータフェーズ中にリトレインが発生したことを検出するリトレイン検出手段と、
前記リトレイン検出手段がリトレイン発生を検出した場合に、前記リトレイン発生時に信号送出中であったか信号受信待ち中であったかを判断する状態判断手段と、
信号送出中に前記リトレインが発生したと前記状態判断手段が判断した場合には、前記信号送出後の状態に遷移し、信号受信待ち中に前記リトレインが発生したと前記状態判断手段が判断した場合には、再度信号受信待ちを行わせる制御手段と、
を備えたことを特徴とするファクシミリ通信制御装置。
【発明の詳細な説明】
【０００１】
【発明の属する技術分野】
本発明は、全二重モード通信機能を有するファクシミリ通信制御装置に関する。
【０００２】
【従来の技術】
近年、ファクシミリ通信は、モデム技術の進歩により、従前の半二重モードに加えて、送信と受信を同時に行わせることができる全二重モードが使われるようになり、また、ＣＣＩＴＴ勧告の通信手順もＶ．１７、Ｖ．３４、Ｖ８と進化し、現在はこれら複数のモードおよび手順が混在して使用されるにいたっている。
【０００３】
このため、Ｖ．８などの上位バージョンの手順が実行可能なファクシミリ通信制御装置では、下位バージョンの手順しか持たない旧機種にも対応すべく、新旧複数のモードおよび手順の実行が可能なように構成され、通信相手端末のバージョンに合わせたモード／バージョンで通信を行うようになっている。
【０００４】
【発明が解決しようとする課題】
上述したように、最近のファクシミリ通信制御装置は、複数の通信モードおよび複数の手順バージョンに下位互換で対応するために、バージョンが新しくなるほど多くのバージョン機能を持たざるを得なくなっている。この場合、回線接続された相手端末に対しては、まず、その相手端末が有するバージョン機能を判別する予備手順を実行してから、その相手端末のバージョン機能に合わせた通信手順を実行する。
【０００５】
このように、相手端末の通信モードまたは手順バージョンを最初から特定することができないファクシミリ通信では、勧告の手順（Ｖ．１７、Ｖ．３４、Ｖ．８など）に定められていない規定外の事象による手順エラーや通信時間損失などを生じやすいことが本発明者によってあきらかとされた。
【０００６】
たとえば、Ｖ．３４モデムにおいて、回線状態の不安定などにより、コントロール
チャンネルのデータフェーズにてリトレインが発生した場合、リトレイン前に行った手順がリトレイン後に重複して実行されてしまうという通信時間の無駄を生じることがある。
【０００９】
本発明の目的は、コントロールチャンネルのデータフェーズにてリトレインが発生した場合の通信時間損失を回避することを目的とする。
【００１１】
【課題を解決するための手段】
この課題を解決するために本発明は、コントロールチャネルにてデータフェーズ中にリトレインが発生したことを検出するリトレイン検出手段と、前記リトレイン検出手段がリトレイン発生を検出した場合に、前記リトレイン発生時に信号送出中であったか信号受信待ち中であったかを判断する状態判断手段と、信号送出中に前記リトレインが発生したと前記状態判断手段が判断した場合には、前記信号送出後の状態に遷移し、信号受信待ち中に前記リトレインが発生したと前記状態判断手段が判断した場合には、再度信号受信待ちを行わせる制御手段と、を備えたものである。
【００１２】
これにより、コントロールチャンネルのデータフェーズにてリトレインが発生した場合の通信時間損失を回避することができるようになって、上記目的を達成することができる。
【００１８】
【発明の実施の形態】
本発明の請求項１に記載の発明は、コントロールチャネルにてデータフェーズ中にリトレインが発生したことを検出するリトレイン検出手段と、前記リトレイン検出手段がリトレイン発生を検出した場合に、前記リトレイン発生時に信号送出中であったか信号受信待ち中であったかを判断する状態判断手段と、信号送出中に前記リトレインが発生したと前記状態判断手段が判断した場合には、前記信号送出後の状態に遷移し、信号受信待ち中に前記リトレインが発生したと前記状態判断手段が判断した場合には、再度信号受信待ちを行わせる制御手段と、を備えたことを特徴とするものであり、これにより、コントロールチャネルのデータフェーズ中にリトレインが発生した場合に、信号送出中にリトレインが発生しても信号受信待ち中にリトレインが発生しても、リトレイン発生前の処理が重複して実行されてしまうことがなく、通信時間の損失を回避することができる。
【００２１】
以下、本発明の実施の形態について、図１から図１３を用いて説明する。
【００２２】
なお、図中、同一符号は同一または相当部分を示す。
【００２３】
図１は本発明の第１の実施態様によるファクシミリ通信制御装置の機能に着目したブロック図を示す。
【００２４】
同図において、Ｌは電話回線またはファクシミリ回線などの通信回線、１はＮＣＵ（回線制御ユニット）、２は全二重／半二重送受信回路、３は通信制御部、４はバッファメモリ、５は圧縮伸張回路、６はインタフェイス部、７１，７２，７３は外部データ端末をそれぞれ示す。
【００２５】
ＮＣＵ１はダイヤル発信、着信、フックオン／オフなどの回線制御を行う。
【００２６】
全二重／半二重送受信回路２は、２値デジタル信号をアナログ信号に変調して回線Ｌへ送出するデータ送信と、回線Ｌからのアナログ受信信号から２値デジタル信号を復調するデータ受信とを行う。このデータ送受信は、ファクシミリ通信の場合、周波数帯域分割多重による全二重データ送受信または送受切換による半二重データ送受信のいずれかの通信モードに切り換えて行われる。
【００２７】
通信制御部３は、ＣＣＩＴＴ勧告のＶ．１７、Ｖ．３４、Ｖ８手順を実行する手順実行部３１、通信状態を記憶する状態フラグ３２、信号受信待ち時間（Ｔ４）などを計時するタイマー３３、交差信号検出部３４、手順制御部３５などにより構成されている。
【００２８】
なお、この通信制御部３の主要機能はＣＰＵ（マイクロコンピュータ）を用いることにより、ハードウェア的には一体に構成することができる。
【００２９】
バッファメモリ４はＲＡＭなどの半導体メモリを用いて構成され、ファクシミリ情報（画情報）などの通信データのほかに、各種通信コマンド（またはモデムコマンド）、各種制御情報などを一時的に蓄積または格納する。
【００３０】
圧縮伸張回路５は、ファクシミリ情報の符号化圧縮および復号化伸張を行う。
【００３１】
インタフェイス部６は、プリンタ７１、スキャナ７２、パーナルコンピュータ７３などの外部データ端末（ＤＴＥ）との間で、ファクシミリ情報および各種コマンドの受け渡しを行う。
【００３２】
図２は、図１に示したファクシミリ通信制御装置のハードウェア構成例を示す。
【００３３】
同図に示すように、図１に示したファクシミリ通信制御装置の機能は、主制御部１０１、ＲＯＭ１０２、ＲＡＭ１０３、通信制御部１０４、全二重／半二重送受信回路１０５、ＮＣＵ１０６、圧縮伸張回路１０７、インタフェイス１０８の各ハードブロックにより構成することができる。
【００３４】
この場合、各ハードブロックは、要すれば、半導体集積回路化されたマイクロコンピュータなどの汎用処理装置により、その一部または全体をハードウェア的に統合させることが可能である。たとえば、通信制御部１０４は主制御部１０１にその機能を担わせることができる。さらに要すれば、圧縮伸張回路１０７についても、その機能を主制御部１０１または通信制御部１０４に担わせることができる。
【００３５】
図３は本発明が適用される以前のファクシミリ通信手順例を示す。
【００３６】
図４は本発明の第１の実施態様によるファクシミリ通信手順例を示す。
【００３７】
図５は本発明の第１の実施態様による信号送出時の制御フローチャートを示す。
【００３８】
図６は本発明の第１の実施態様による信号受信時の制御フローチャートを示す。
【００３９】
まず、図３において、全二重モード通信よりＶ．３４ファクシミリ手順のフェーズＤが実行される場合、そのフェーズＤのコントロールチャンネル（制御チャンネル）の中にて、送信機信号ＰＰＳ−ＭＰＳの送出と受信機信号ＭＣＦの受信とがタイミング的に重なる信号交差を生じることがある。つまり、全二重モード通信では、送信と受信が同時並行で行われるため、発呼側からのＰＰＳ−ＭＰＳ信号の送出と、このＰＰＳ−ＭＰＳ信号に対する被呼側からのＭＣＦ信号の受信とが時間的に重なる信号交差を生じることがある。
【００４０】
この場合、そのＰＰＳ−ＭＰＳ信号と交差して受信されたＭＣＦ信号は、そのＰＰＳ−ＭＰＳ信号に対して返信されるべきＭＣＦ信号であるとは限らない。しかし、ＣＣＩＴＴ勧告の手順では、そのような信号交差が生じた場合の定めがなく、したがって、たとえば、そのＭＣＦ信号が交差して送出されたＰＰＳ−ＭＰＳ信号に対してではなく、それよりも前のＰＰＳ−ＭＰＳ信号に対しての返信であったような場合は、手順が正常に続行されなくなって、同図に示すように、通信が異常終了してしまう恐れがある。
【００４１】
そこで、本発明の第１の実施態様では、Ｖ．３４手順のフェーズＤにおいて送出したＰＰＳ−ＭＰＳ信号に対するＭＣＦ信号が交差信号であった場合に、その交差信号を無効にして上記ＰＰＳ−ＭＰＳ信号の送出から手順を再実行させる手順制御部３４（図１）を備えることにより、信号交差による通信の異常終了を回避させるようにしてある。
【００４２】
図４の（Ａ）（Ｂ）はそれぞれ、ＰＰＳ−ＭＰＳ信号の再送出時にＭＣＦ信号の交差があった場合の通信手順実行例を示す。
【００４３】
同図（Ａ）の場合は、再送出のＰＰＳ−ＭＰＳ信号に交差して受信されたＭＣＦ信号を無効処理した後、一定の待ち時間Ｔ４をおいてＰＰＳ−ＭＰＳ信号を再々送出して、この再々送出のＰＰＳ−ＭＰＳ信号に対するＭＣＦ信号が交差せずに受信された例を示す。
【００４４】
この例では、交差して受信されたＭＣＦ信号が再送出のＰＰＳ−ＭＰＳ信号に対する正規の返信（応答）であって、本来は無効にする必要はなかったが、一定待ち時間Ｔ４後に３回目のＰＰＳ−ＭＰＳ信号を送出することで、その３回目のＰＰＳ−ＭＰＳ信号に対するＭＣＦ信号を交差なしに受信し、これによりコントロールチャンネルを正常終了させている。
【００４５】
同図（Ｂ）の場合は、再送出のＰＰＳ−ＭＰＳ信号に交差して受信したＭＣＦ信号を無効処理した後で、その再送出のＰＰＳ−ＭＰＳ信号に対して正規の応答であるＭＣＦ信号が受信された場合を示す。
【００４６】
この例では、交差して受信されたＭＣＦ信号が前回送出のＰＰＳ−ＭＰＳ信号に対する返信であって、これを無効処理することにより、そのあとに続いて受信されたＭＣＦ信号を再送ＰＰＳ−ＭＰＳ信号として正しく認識し、これによりコントロールチャンネルを正常終了させている。
【００４７】
上述したコントロールチャンネルでの信号送出制御について、図５のフローチャートを用いて説明する。
【００４８】
ステップ１：送出する信号を生成し、モデムのバッファ（図１のバッファメモリ４に相当）へ送出する準備をする（Ｓ１）。
【００４９】
ステップ２：モデム（図１の通信制御部３に相当）の状態を調べ、送出可能かどうかを判断する（Ｓ２）。
【００５０】
ステップ３：送出可能であれば、生成した信号をモデムバッファに設定（書込）し、相手端末へ信号を送出する（Ｓ３）。
【００５１】
ステップ４：信号送出可能かを判断する（Ｓ４）。
【００５２】
ステップ５：信号送出完了であれば、次の処理の準備を行う（Ｓ５）。
【００５３】
ステップ６：信号送出完了の判断と同時に受信信号の監視を行う（Ｓ６）。
【００５４】
ステップ７：もし、信号送出中に相手端末からの信号受信があった場合、すなわち信号交差があった場合は、内部フラグ（図１の状態フラグ３２が相当）に、交差信号（信号送出中に受信した信号）である旨の情報（タグ）を登録し、再度の信号送出処理を実行する（Ｓ７）。
【００５５】
次に、上述したコントロールチャンネルでの信号受信制御について、図６のフローチャートを用いて説明する。
【００５６】
ステップ１：信号受信処理において信号受信が発生した場合、まず、その受信信号を有効にするか無効にするかを判断する。その判断は、信号送出のときに登録される交差信号情報（図５のステップ７）に基づいて行われる（Ｓ１）。
【００５７】
ステップ２：ステップ１にて受信信号を有効と判断した場合は、その受信信号が何かを解析する。つまり、受信信号の機能解析を行う（Ｓ２）。
【００５８】
ステップ３：解析した信号ごとに各処理を行う（Ｓ３）。
【００５９】
ステップ４：ステップ１において、受信信号が信号送出中の受信信号すなわち交差信号であると判断した場合は、その受信信号を読み捨てる（Ｓ４）。
【００６０】
図７は本発明の第２の実施態様によるファクシミリ通信制御装置の機能に着目したブロック図を示す。
【００６１】
同図において、Ｌは電話回線またはファクシミリ回線などの通信回線、１はＮＣＵ（回線制御ユニット）、２は全二重／半二重送受信回路、３は通信制御部、４はバッファメモリ、５は圧縮伸張回路、６はインタフェイス部、７１，７２，７３は外部データ端末をそれぞれ示す。
【００６２】
ここで、通信制御部３は、ＣＣＩＴＴ勧告のＶ．１７、Ｖ．３４、Ｖ８手順を実行する手順実行部３１、通信状態を記憶する状態フラグ３２、信号受信待ち時間などを計時するタイマー３３、リトレイン発生時の制御を行うリトレイン時制御部３６および手順制御部３５などにより構成されている。
【００６３】
なお、この通信制御部３の主要機能はＣＰＵ（マイクロコンピュータ）を用いることにより、ハードウェア的には一体的に構成することができる。また、図１に示した通信制御装置の機能を併せ持つことも可能である。
【００６４】
図８は本発明の第２の実施態様によるファクシミリ通信手順例を示す。
【００６５】
まず、同図（Ａ）は、コントロールチャンネルのデータフェーズにて、回線ノイズなどにより、リトレインが発生した場合のリトレイン後の処理手順例を示す。
【００６６】
この場合、リトレイン発生後にモデムコントロールフェーズに再度移行し、このフェーズを経てデータフェーズに戻ったら、リトレイン前の続きから手順を実行する。ここで示す例では、リトレイン前の続きとして、被呼側からのＣＦＲ信号を一定時間Ｔ４受信待ちする。
【００６７】
同図（Ｂ）および同図（Ｃ）はそれぞれ、モデムコントロールフェーズに再度移行してデータフェーズに戻ったときの手順実行例を示したものであって、いずれの場合も、リトレイン発生前の状態を引き継いで継続実行している。
【００６８】
図９はモデムコントロールフェーズでの制御信号のやりとり状態を示す。
【００６９】
同図に示すモデムコントロールフェーズでは、ｐｐｈ信号とＡＬＴ信号のやりとりを経てＭｐｈ信号のやりとりに移行することにより、データフェーズへの復帰を行わせる。
【００７０】
図１０は本発明の第２の実施態様によるリトレイン時処理の制御フローチャートを示す。
【００７１】
コントロールチャンネルでは、回線状態が悪くて送出した信号に対しての応答がない、あるいは受信した信号が読めないなどの障害が生じた場合、再度モデムコントロールフェーズを行うことにより、コントロールチャンネルの通信速度を落とす（２４００ｂｐｓから１２００ｂｐｓ）ことを行ったりすることができる。
【００７２】
ただし、データフェーズ中でのリトレインは、リトレイン前に行った手順が最初からやり直されることがあり、このやり直しが行われると通信時間が著しく長くなってしまう恐れがある。
【００７３】
そこで、本発明の第２の実施態様では、図１０にその制御手順をフローチャートで示すように、リトレインが発生した場合の手順の重複を避けるようにしてある。
【００７４】
以下、図１０のフローチャートについて説明する。
【００７５】
ステップ１：コントロールチャンネルのデータフェーズにてリトレインが発生したか否かを判断する（Ｓ１）。
【００７６】
ステップ２：リトレインが発生した場合、現在の状態すなわちファクシミリ通信手順の遷移状態を判断する（Ｓ２）。
【００７７】
ステップ３：信号送出中にリトレインが発生した場合は、信号送出後の状態に遷移する（Ｓ３）。
【００７８】
ステップ４：信号受信待ち中にリトレインが発生した場合は、信号受信待ちタイマーを再スタートさせてして、再度信号待ちを行う（Ｓ４）。
【００７９】
図１１は本発明の第３の実施態様によるファクシミリ通信制御装置の機能に着目したブロック図を示す。
【００８０】
同図において、Ｌは電話回線またはファクシミリ回線などの通信回線、１はＮＣＵ（回線制御ユニット）、２は全二重／半二重送受信回路、３は通信制御部、４はバッファメモリ、５は圧縮伸張回路、６はインタフェイス部、７１，７２，７３は外部データ端末をそれぞれ示す。
【００８１】
ここで、通信制御部３は、ＣＣＩＴＴ勧告のＶ．２１、Ｖ．２９、Ｖ．１７、Ｖ．３４、Ｖ８手順の実行能力する手順実行部３１、通信状態を記憶する状態フラグ３２、信号受信待ち時間や信号送出時間などを計時するタイマー３３、およびＣＩ信号の送出を制御するＣＩ送出制御部３７などにより構成されている。
【００８２】
なお、この通信制御部３の主要機能もＣＰＵ（マイクロコンピュータ）を用いることにより、ハードウェア的には一部または全体を一体的に構成することができる。
【００８３】
図１２は本発明の第３の実施態様によるファクシミリ通信手順例を示す。
【００８４】
同図において、（Ａ）は本発明の第３の実施態様におけるＣＩ信号のリトライ制御の手順を示す。（Ｂ）は本発明の第３の実施態様におけるＣＩ信号送出制御の手順を示す。また、（Ｃ）はＣＩ信号の送出タイミングを示す。
【００８５】
図１３は本発明の第３の実施態様によるＣＩ信号送出制御フローチャートを示す。
【００８６】
同図において、ＣＩ信号は、発呼側がＶ．８手順の開始を示す信号であって、Ｖ．２１（Ｌ）により３００ｂｐｓで送信される。このＣＩ信号を受信した相手端末がＶ．８手順能力を有していれば、その相手端末はＣＩ信号に対してＡＮＳａｍ信号を送出することになっている。
【００８７】
ＡＮＳａｍ信号はＶ．８機能があることを知らせる信号であって、２１００Ｈｚで４５０ｍｓの位相反転を行い、１５Ｈｚの振幅変調がかけられている。
【００８８】
ここで、Ｖ．８の勧告手順ではＣＩ信号の送出回数と送出タイミングが定義されていないため、回線上のちょっとしたアナログノイズで接続不能になったり、信号衝突が発生して通信時間が伸びたりする恐れがあった。
【００８９】
そこで、本発明の第３の実施態様では、図１３のフローチャートに示すような制御動作により、その接続不良等の障害を防止するようにしている。
【００９０】
以下、図１３のフローチャートについて説明する。
【００９１】
ステップ１：着呼側から受信したＤＩＳ信号のＦＩＦを解析し、着呼側にＶ．８能力があるか否かを判断する。もし、Ｖ．８能力がなければ、通常のＶ．１７以下の手順により通信を行う（Ｓ１）。
【００９２】
ステップ２：上記の判断にて相手端末にＶ．８能力があり、かつ相手側からのＡＮＳａｍ信号が未受信状態であれば、モデムをＣＩ送出モードに切り替えてＣＩ信号を送出する（Ｓ２）。
【００９３】
ステップ３：ＣＩ信号の送出と同時にＣＩ送出オンタイマーを設定する。このタイマーによるＣＩ送出時間の設定は、０．１ｓ〜２．０ｓの間で１００ｍｓ単位で行えるようになっている（Ｓ３）。
【００９４】
ステップ４：上記タイマーの設定時間だけＣＩ信号を送出したかを判定する（Ｓ４）。
【００９５】
ステップ５：ＣＩ信号が上記タイマーの設定時間だけ送出されたならば、つまりＣＩ送出タイマーがタイムアウトしたならば、ＣＩ信号の送出を停止する（Ｓ５）。
【００９６】
ステップ６：次に、モデムをＡＮＳａｍ信号検出モードに切り替える（Ｓ６）。
【００９７】
ステップ７：同時に、ＣＩ信号の送出停止時間すなわちＡＮＳａｍ信号の監視時間を定めるために、ＣＩ送出オフタイマーを設定する（Ｓ７）。
【００９８】
ステップ８：上記ＣＩ送出オフタイマーがタイムアウトしたか否かを判定する（Ｓ８）。
【００９９】
ステップ９：タイムアウトしていなかったならば、ＡＮＳａｍ信号が検出されたか否かを判定する。ここで、ＡＮＳａｍ信号が検出されたならば、Ｖ．８手順モード（ＣＭ信号とＪＭ信号のやりとりを行う）の処理へ移行する（Ｓ９）。
【０１００】
ステップ１０：ＡＮＳａｍ信号が検出されていなかった場合は、３００ｂｐｓ信号が検出されたか否かを判断する。ここで、３００ｂｐｓ信号が検出されたならば、ＣＩ信号送出制御を停止してステップ１に戻る（Ｓ１０）。
【０１０１】
ステップ１１：上記ＣＩ送出オフタイマーがタイムアウトするまでＡＮＳａｍ信号または３００ｂｐｓ信号のどちらも検出できなかった場合は、ステップ３に戻ってＣＩ信号を設定時間だけ送出する動作を行う、この動作は、あらかじめ設定された指定回数に達するまで繰り返される。指定回数のＣＩ送出が行われた場合は、Ｖ．８手順による通信開始をあきらめ、Ｖ．１７モードでの通信を行う。この場合、Ｖ．１７手順にて受信されるＤＩＳ信号にＶ．８手順能力有りの情報があっても無視し、そのＤＩＳ信号に対してはＤＣＳを送出して通常処理を行う（Ｓ１１）。
【０１０２】
【発明の効果】
以上のような本発明によれば、コントロールチャネルのデータフェーズ中にリトレインが発生した場合に、信号送出中にリトレインが発生しても信号受信待ち中にリトレインが発生しても、リトレイン発生前の処理が重複して実行されてしまうことがなく、通信時間の損失を回避することができる。
【図面の簡単な説明】
【図１】本発明の第１の実施態様によるファクシミリ通信制御装置の機能に着目したブロック図
【図２】図１に示したファクシミリ通信制御装置のハードウェア構成例を示すブロック図
【図３】本発明が適用される以前のファクシミリ通信手順例を示す図
【図４】本発明の第１の実施態様によるファクシミリ通信手順例を示す図
【図５】本発明の第１の実施態様による信号送出時の制御フローチャート
【図６】本発明の第１の実施態様による信号受信時の制御フローチャート
【図７】本発明の第２の実施態様によるファクシミリ通信制御装置の機能に着目したブロック図
【図８】図８は本発明の第２の実施態様によるファクシミリ通信手順例を示す図
【図９】図９はモデムコントロールフェーズでの制御信号のやりとり状態を示す図
【図１０】本発明の第２の実施態様によるリトレイン時処理の制御フローチャート
【図１１】本発明の第３の実施態様によるファクシミリ通信制御装置の機能に着目したブロック図
【図１２】本発明の第３の実施態様によるファクシミリ通信手順例を示す図
【図１３】本発明の第３の実施態様によるＣＩ信号送出制御フローチャート
【符号の説明】
Ｌ  通信回線
１  ＮＣＵ（回線制御ユニット）
２  全二重／半二重送受信回路
３  通信制御部
３１  手順実行部
３２  状態フラグ
３３  タイマー
３４  交差信号検出部
３５  手順制御部
３６  リトレイン時制御部
３７  ＣＩ送出制御部
４  バッファメモリ
５  圧縮伸張回路
６  インタフェイス部
７１  プリンタ（外部データ端末）
７１  スキャナ（外部データ端末）
７１  コンピュータ（外部データ端末）
【図１】
0003656070.tif 000002
【図２】
0003656070.tif 000003
【図３】
0003656070.tif 000004
【図４】
0003656070.tif 000005
【図５】
0003656070.tif 000006
【図６】
0003656070.tif 000007
【図７】
0003656070.tif 000008
【図８】
0003656070.tif 000009
【図９】
0003656070.tif 000010
【図１０】
0003656070.tif 000011
【図１１】
0003656070.tif 000012
【図１２】
0003656070.tif 000013
【図１３】
0003656070.tif 000014